(57)【要約】【課題】おむつ着用時において、おむつの両側縁を構成するサイドフラップ部がずれ難く、ウエスト周り開口部や脚周り開口部からの漏れを有効に防止することが可能なテープ型使い捨ておむつを提供する。【解決手段】本発明のテープ型使い捨ておむつ１Ａは、吸収体２２と、吸収体２２の上面を被覆するように配置されたトップシート１８と、吸収体２２の下面を被覆するように配置されたバックシート２０と、後身頃６の左右の各側縁から延出するように配置された着テープ１１と、を備え、身頃２の左右の各側縁部２ｘ，２ｙと後身頃６の左右の各側縁部６ｘ，６ｙとは、おむつのサイドフラップ部８を構成し、前身頃２のサイドフラップ部８と後身頃６のサイドフラップ部８とは、おむつの着用時において互いに重なり合うそれぞれの当接面に、相互に嵌合する凹凸嵌合部３８が形成されている。【選択図】図１Ａ
2010082373.tif 000002
【特許請求の範囲】
【請求項１】
前身頃、股下部、後身頃の各部から形成され、
吸収体と、少なくとも一部が液透過性材料からなり、前記吸収体の上面を被覆するように配置されたトップシートと、液不透過性材料からなり、前記吸収体の下面を被覆するように配置されたバックシートと、前記後身頃の左右の各側縁から延出するように配置され、前記前身頃と前記後身頃とを固定するための止着テープと、を備え、
前記前身頃の左右の各側縁部と前記後身頃の左右の各側縁部とは、おむつのサイドフラップ部を構成し、
前身頃のサイドフラップ部と後身頃のサイドフラップ部とは、おむつの着用時において互いに重なり合うそれぞれの当接面に、相互に嵌合する凹凸嵌合部が形成されているテープ型使い捨ておむつ。
【請求項２】
前記凹凸嵌合部は、前記前身頃のサイドフラップ部の前記バックシート側の表面と、前記後身頃側のサイドフラップ部の前記トップシート側の表面とに形成されている請求項１に記載のテープ型使い捨ておむつ。
【請求項３】
前記凹凸嵌合部は、おむつの長手方向に対して平行に形成された複数の凹溝によって構成されている請求項１又は２に記載のテープ型使い捨ておむつ。
【請求項４】
前記凹凸嵌合部は、おむつの長手方向に対して垂直に形成された複数の凹溝によって構成されている請求項１又は２に記載のテープ型使い捨ておむつ。
【請求項５】
前記凹凸嵌合部は、一対のエンボスロールの間に挟み込まれ、押圧されることによって形成されたものである請求項１〜４のいずれか一項に記載のテープ型使い捨ておむつ。
【請求項６】
前記凹凸嵌合部は、前記前身頃と前記後身頃とのうちの一方のサイドフラップ部に形成された凸部と、前記前身頃と前記後身頃とのうちの他方のサイドフラップ部に、前記凸部の形状に対応して形成された貫通孔とによって構成されている請求項１又は２に記載のテープ型使い捨ておむつ。
【請求項７】
前記凹凸嵌合部は、嵌合部位の深さが、０．５〜３ｍｍである請求項１〜６のいずれか一項に記載のテープ型使い捨ておむつ。
【発明の詳細な説明】
【技術分野】
【０００１】
本発明は、テープ型使い捨ておむつに関する。更に詳しくは、おむつ着用時において、おむつの両側縁を構成するサイドフラップ部がずれ難く、ウエスト周り開口部や脚周り開口部からの漏れを有効に防止することが可能なテープ型使い捨ておむつに関する。
【背景技術】
【０００２】
一般に、テープ型使い捨ておむつは、例えば、図５に示すテープ型使い捨ておむつ１００のように、吸収体２２と、吸収体２２の上面を被覆するように配置され、少なくとも一部が液透過性材料からなるトップシート１８と、吸収体２２の下面を被覆するように配置され、液不透過性材料からなるバックシート２０とを備えるとともに、前身頃２、股下部４及び後身頃６の各部から構成されており、後身頃６の左右の各側縁６ａ，６ｂから延出するように配置され、前身頃２と後身頃６とを固定するための止着テープ１１を更に備えた使い捨ておむつである（例えば、特許文献１及び２参照）。なお、このようなテープ型使い捨ておむつ１００は、前身頃２の左右の各側縁と後身頃６の左右の各側縁とによって、おむつのサイドフラップ部８が構成されている。なお、このテープ型使い捨ておむつ１００には、吸収体２２の両側縁に立体ギャザー２６（２６ａ，２６ｂ）が形成されている。
【０００３】
このようなテープ型使い捨ておむつ１００によれば、着用者の排泄物はトップシート１８の液透過性の部分（図中ではセンターシート１８ａ）を透過して吸収体２２に吸収されるとともに、通常、液不透過性の材料で構成されるバックシート２０によって外部への漏洩が防止され、排泄物をおむつ内部に保持することができる。また、止着テープ１１によっておむつの前身頃２と後身頃６とを相互に固定することで、着用者に容易に装着させることができるという利点をも有するものである。
【０００４】
【特許文献１】特開２００４−１４１５３２号公報
【特許文献２】特開２００４−２４３０７号公報
【発明の開示】
【発明が解決しようとする課題】
【０００５】
このような従来のテープ型使い捨ておむつ１００においては、上記したように、後身頃６の側縁６ａ，６ｂ（具体的には、後身頃６のサイドフラップ部８の側縁）から延出するように配置された止着テープ１１を、前身頃２のフロントパッチ１３に係止しておむつを着用する。この際、前身頃２のサイドフラップ部８に後身頃６のサイドフラップ部８が重なることとなるが、この重なり合ったサイドフラップ部８は、衣類や寝具と擦れたり、着用者の脚部の動き等によって拠れてしまうことがある。これにより、おむつがずれてしまったり、着用者の脇腹周辺に隙間ができてしまったりして、ウエスト周り開口部や脚周り開口部から漏れを生じてしまうという問題があった。
【０００６】
本発明は、上述のような従来技術の課題を解決するためになされたものであり、おむつ着用時において、サイドフラップ部がずれ難く、ウエスト周り開口部や脚周り開口部からの漏れを有効に防止することが可能なテープ型使い捨ておむつを提供するものである。
【課題を解決するための手段】
【０００７】
本発明者は、前記のような従来技術の課題を解決するために鋭意検討した結果、おむつのサイドフラップ部に、おむつの着用時において互いに重なり合う前身頃と後身頃のサイドフラップ部の互いの当接面に、相互に嵌合する凹凸嵌合部を形成することによって、上記課題が解決されることに想到し、本発明を完成させた。具体的には、本発明により、以下のテープ型使い捨ておむつが提供される。
【０００８】
［１］  前身頃、股下部、後身頃の各部から形成され、吸収体と、少なくとも一部が液透過性材料からなり、前記吸収体の上面を被覆するように配置されたトップシートと、液不透過性材料からなり、前記吸収体の下面を被覆するように配置されたバックシートと、前記後身頃の左右の各側縁から延出するように配置され、前記前身頃と前記後身頃とを固定するための止着テープと、を備え、前記前身頃の左右の各側縁部と前記後身頃の左右の各側縁部とは、おむつのサイドフラップ部を構成し、前身頃のサイドフラップ部と後身頃のサイドフラップ部とは、おむつの着用時において互いに重なり合うそれぞれの当接面に、相互に嵌合する凹凸嵌合部が形成されているテープ型使い捨ておむつ。
【０００９】
［２］  前記凹凸嵌合部は、前記前身頃のサイドフラップ部の前記バックシート側の表面と、前記後身頃側のサイドフラップ部の前記トップシート側の表面とに形成されている前記［１］に記載のテープ型使い捨ておむつ。
【００１０】
［３］  前記凹凸嵌合部は、おむつの長手方向に対して平行に形成された複数の凹溝によって構成されている前記［１］又は［２］に記載のテープ型使い捨ておむつ。
【００１１】
［４］  前記凹凸嵌合部は、おむつの長手方向に対して垂直に形成された複数の凹溝によって構成されている前記［１］又は［２］に記載のテープ型使い捨ておむつ。
【００１２】
［５］  前記凹凸嵌合部は、一対のエンボスロールの間に挟み込まれ、押圧されることによって形成されたものである前記［１］〜［４］のいずれかに記載のテープ型使い捨ておむつ。
【００１３】
［６］  前記凹凸嵌合部は、前記前身頃と前記後身頃とのうちの一方のサイドフラップ部に形成された凸部と、前記前身頃と前記後身頃とのうちの他方のサイドフラップ部に、前記凸部の形状に対応して形成された貫通孔とによって構成されている前記［１］又は［２］に記載のテープ型使い捨ておむつ。
【００１４】
［７］  前記凹凸嵌合部は、嵌合部位の深さが、０．５〜３ｍｍである前記［１］〜［６］のいずれかに記載のテープ型使い捨ておむつ。
【発明の効果】
【００１５】
本発明のテープ型使い捨ておむつは、おむつ着用時において、サイドフラップ部がずれ難く、ウエスト周り開口部や脚周り開口部からの漏れを有効に防止することができる。具体的には、前身頃のサイドフラップ部と後身頃のサイドフラップ部とにそれぞれ形成された凹凸嵌合部が相互に嵌合することによって、外部からの応力等に対してサイドフラップ部がずれ難くなり、上記漏れを有効に防止することができる。
【００１６】
また、この凹凸嵌合部を形成することによって、おむつ全体の形状が良好に保持されることとなり、上記漏れを有効に防止することができるとともに、良好な着用感を実現することができる。
【発明を実施するための最良の形態】
【００１７】
以下、本発明のテープ型使い捨ておむつを実施するための最良の形態について、具体的に説明する。但し、本発明はその発明特定事項を備えるテープ型使い捨ておむつを広く包含するものであり、以下の実施形態に限定されるものではない。
【００１８】
［１］定義等：
「テープ型使い捨ておむつ」とは、図１Ａに示すテープ型使い捨ておむつ１Ａのように、吸収体２２と、トップシート１８と、バックシート２０とを備え、後身頃６の左右の各側縁６ａ，６ｂから延出するように配置された、前身頃２と後身頃６とを固定するための止着テープ１１を更に備えた使い捨ておむつを意味するものとする。そして、図１Ａに示すテープ型使い捨ておむつ１Ａにおいては、前身頃２に、ループ材４６ｂからなるフロントパッチ１３が付設されており、このフロントパッチ１３に対して、上記止着テープ１１を止め付けることが可能なように構成されている。
【００１９】
「前身頃」とは、図１Ａに示すように、着用者に装着した際に、着用者の腹側（身体前方）を覆う部分（図中符号２）、「股下部」とは、着用者に装着した際に、着用者の股下を覆う部分（図中符号４）、「後身頃」とは、着用者に装着した際に、着用者の背側（身体後方）を覆う部分（図中符号６）を意味するものとする。
【００２０】
［２］本発明のテープ型使い捨ておむつの構成：
本発明のテープ型使い捨ておむつは、図１Ａ、図１Ｂ、及び図１Ｃに示すように、前身頃２、股下部４、後身頃６の各部から形成され、吸収体２２と、少なくとも一部が液透過性材料からなり、吸収体２２の上面を被覆するように配置されたトップシート１８と、液不透過性材料からなり、吸収体２２の下面を被覆するように配置されたバックシート２０と、後身頃６の左右の各側縁から延出するように配置され、前身頃２と後身頃６とを固定するための止着テープ１１と、を備えたテープ型使い捨ておむつ１Ａである。
【００２１】
本発明のテープ型使い捨ておむつ１Ａは、前身頃２の左右の各側縁部２ｘ，２ｙと後身頃６の左右の各側縁部６ｘ，６ｙとは、おむつのサイドフラップ部８を構成し、この前身頃２のサイドフラップ部８と後身頃６のサイドフラップ部８とは、おむつの着用時において互いに重なり合うそれぞれの当接面に、相互に嵌合する凹凸嵌合部３８が形成されている。
【００２２】
このように構成することによって、本発明のテープ型使い捨ておむつ１Ａは、図１Ｄ及び図１Ｅに示すように、おむつ着用時において、上記凹凸嵌合部３８が相互に嵌合し、外部からの応力等に対してサイドフラップ部８がずれ難くなり、ウエスト周り開口部１０（図１Ｃ参照）や脚周り開口部１２（図１Ｃ参照）からの漏れを有効に防止することができる。
【００２３】
ここで、図１Ａは、本発明のテープ型使い捨ておむつの一の実施形態を展開し、トップシート側から見た状態を示す概略平面図であり、図１Ｂ及び図１Ｃは、図１Ａに示すテープ型使い捨ておむつを着用する過程を示す斜視図である。また、図１Ｄは、図１Ａに示すテープ型使い捨ておむつのサイドフラップ部の凹凸嵌合部を拡大した拡大平面図であり、図１Ｅは、図１Ａに示すテープ型使い捨ておむつの着用時において、前身頃のサイドフラップ部と後身頃のサイドフラップ部の凹凸嵌合部が相互に嵌合した状態を示す断面図である。
【００２４】
なお、上記凹凸嵌合部とは、前身頃のサイドフラップ部に凹凸状に形成された第一嵌合部と、後身頃のサイドフラップ部に凹凸状に形成された第二嵌合部とからなり、この第一嵌合部の凸部（又は凹部）と、第二嵌合部の凹部（又は凸部）とが互いに嵌合するように構成されたものをいう。図１Ａに示すテープ型使い捨ておむつ１Ａにおいては、おむつの長手方向に対して平行に形成された複数の凹溝によって構成されており、前身頃２のサイドフラップ部８の第一嵌合部３８ａの凹溝と、後身頃６のサイドフラップ部８の第二嵌合部３８ｂの凹溝とが互いに嵌合するように構成されている。
【００２５】
また、上記サイドフラップ部とは、展開状態のテープ型使い捨ておむつの前身頃と後身頃において、おむつの長手方向中央部に配置された吸収体よりも側方の領域に張り出した部位によって構成され、おむつの着用時において、後身頃の左右の各側縁から延出するように配置された止着テープを前身頃にて止め付ける際に、着用者の脇腹を覆うように配置されるものをいう。
【００２６】
この前身頃のサイドフラップ部と後身頃のサイドフラップ部とは、おむつ着用時、即ち、着用者の脇腹を覆うように配置される際に、その少なくとも一部が重なり合うように配置される。
【００２７】
［２−１］サイドフラップ部：
サイドフラップ部は、上記したように、おむつの前身頃と後身頃とにおいて吸収体よりも側方の領域に張り出した部位によって構成され、おむつ着用時において、着用者の脇腹を覆う部位となる。そして、前身頃のサイドフラップ部と後身頃のサイドフラップ部とは、着用者の脇腹を覆う際に、その少なくとも一部が重なり合うように配置される。
【００２８】
例えば、図１Ａに示すテープ型使い捨ておむつ１Ａにおいては、後身頃６のサイドフラップ部８の両側縁から延出するように止着テープ１１が配置されており、図１Ｂ及び図１Ｃに示すように、前身頃２のサイドフラップ部８を着用者の脇腹に宛がい、更に、後身頃６のサイドフラップ部８を、前身頃２のサイドフラップ部８の上から着用者に宛がいながら、止着テープ１１を前身頃２側に移動させて、前身頃２に付設されたフロントパッチ１３に対して止着テープ１１を止め付けることにより、前身頃２のサイドフラップ部８と後身頃６のサイドフラップ部８との少なくとも一部が重なり合うように配置される。
【００２９】
本発明のテープ型使い捨ておむつにおいては、前身頃のサイドフラップ部と後身頃のサイドフラップ部との、少なくともおむつの着用時において互いに重なり合うそれぞれの当接面に、相互に嵌合する凹凸嵌合部が形成されており、この凹凸嵌合部が相互に嵌合することによって、外部からの応力等に対してサイドフラップ部がずれ難くなり、上述したように、ウエスト周り開口部や脚周り開口部からの漏れを有効に防止することができる。
【００３０】
［２−１ａ］凹凸嵌合部：
凹凸嵌合部は、前身頃のサイドフラップ部と後身頃のサイドフラップ部とに一対形成されており、前身頃のサイドフラップ部に形成された第一嵌合部と、後身頃のサイドフラップ部に形成された第二嵌合部とが、互いに嵌合することによって、重なり合ったサイドフラップ部のずれを防止することができる。本発明においては、前身頃のサイドフラップ部のバックシート側の表面と、後身頃側のサイドフラップ部のトップシート側の表面とに、それぞれ凹凸嵌合部が形成されていることが好ましい。
【００３１】
この凹凸嵌合部は、前身頃のサイドフラップ部と後身頃のサイドフラップ部における、おむつ着用時において、互いに重なり合う部位に少なくとも形成されていればよい。勿論、それぞれのサイドフラップ部の全域に凹凸嵌合部が形成されていてもよい。
【００３２】
凹凸嵌合部の形状については、特に制限はなく、互いに嵌合することによって、重なり合ったサイドフラップ部のずれや拠れを防止することできるものであればよい。即ち、互いの凹凸部分が嵌め合わさり、外部の応力等（具体的には、着用者の身体表面に沿った方向に作用する力、即ち、サイドフラップ部が擦れあうような力）によって、容易にサイドフラップ部が位置ずれを起こさないようにすることのできる形状であればよい。
【００３３】
例えば、図１Ａにおいては、おむつの長手方向に対して平行に形成された複数の凹溝によって構成された縦縞状の凹凸嵌合部３８が形成された場合の例を示している。図１Ａに示すような縦縞状の凹凸嵌合部３８は、特に、着用者の前後方向（即ち、腹側から背側方向、又は背側から腹側方向）に対するずれ及び拠れを有効に防止することができる。
【００３４】
また、図２Ａ、図２Ｂ、及び図２Ｃに示すように、本発明のテープ型使い捨ておむつ１Ｂにおいては、おむつの長手方向に対して垂直に形成された複数の凹溝によって横縞状の凹凸嵌合部３８が形成されていてもよい。このような横縞状の凹凸嵌合部３８は、特に、着用者の上下方向（即ち、上半身側から下半身側方向、又は下半身側から上半身側方向）に対するずれ及び拠れを有効に防止することができる。
【００３５】
ここで、図２Ａは、本発明のテープ型使い捨ておむつの他の実施形態を展開し、トップシート側から見た状態を示す概略平面図であり、図２Ｂは、図２Ａに示すテープ型使い捨ておむつのサイドフラップ部の凹凸嵌合部を拡大した拡大平面図であり、図２Ｃは、図２Ａに示すテープ型使い捨ておむつの着用時において、前身頃のサイドフラップ部と後身頃のサイドフラップ部の凹凸嵌合部が相互に嵌合した状態を示す断面図である。なお、図２Ａ〜図２Ｃにおいて、図１Ａに示した各要素と共通する要素については、図１Ａと同一の符号を付して説明を省略する。
【００３６】
また、図３Ａ及び図３Ｂに示すように、本発明のテープ型使い捨ておむつ１Ｃにおいては、サイドフラップ部８の断面が波状の凹凸によって構成された凹凸嵌合部が形成されていてもよい。このような波型の凹凸嵌合部は、重なり合ったサイドフラップ部のずれ及び拠れを有効に防止することができるとともに、着用時における凹凸嵌合部の嵌合が極めて簡便に行われるため、おむつの装着が容易であるという利点を有している。
【００３７】
ここで、図３Ａは、本発明のテープ型使い捨ておむつの更に他の実施形態におけるサイドフラップ部の凹凸嵌合部を拡大した拡大平面図であり、図３Ｂは、図３Ａに示すテープ型使い捨ておむつの着用時において、前身頃のサイドフラップ部と後身頃のサイドフラップ部の凹凸嵌合部が相互に嵌合した状態を示す断面図である。なお、図３Ａ及び図３Ｂにおいて、図１Ａに示した各要素と共通する要素については、図１Ａと同一の符号を付して説明を省略する。
【００３８】
更に、図４Ａ及び図４Ｂに示すように、本発明のテープ型使い捨ておむつ１Ｄにおいては、凹凸嵌合部が、前身頃２と後身頃６とのうちの一方のサイドフラップ部８に形成された凸部と、前身頃２と後身頃６とのうちの他方のサイドフラップ部８に凸部の形状に対応して形成された貫通孔とによって構成されたものであってもよい。
【００３９】
ここで、図４Ａは、本発明のテープ型使い捨ておむつの更に他の実施形態におけるサイドフラップ部の凹凸嵌合部を拡大した拡大平面図であり、図４Ｂは、図４Ａに示すテープ型使い捨ておむつの着用時において、前身頃のサイドフラップ部と後身頃のサイドフラップ部の凹凸嵌合部が相互に嵌合した状態を示す断面図である。なお、図４Ａ及び図４Ｂにおいて、図１Ａに示した各要素と共通する要素については、図１Ａと同一の符号を付して説明を省略する。
【００４０】
このような、凸部と貫通孔とによって構成された凹凸嵌合部は、一方のサイドフラップ部の凸部（即ち、突起）が、他方のサイドフラップ部の貫通孔に嵌め合わさるため、着用者の上下方向や前後方向といった全ての方向に対するずれ及び拠れを有効に防止することができる。
【００４１】
なお、このような凸部と貫通孔から構成された凹凸嵌合部において、凸部と貫通孔の配置については、図４Ａ及び図４Ｂに示す形態に限定されることはない。即ち、図４Ａ及び図４Ｂにおいては、後身頃６のサイドフラップ部８に凸部が形成され、前身頃２のサイドフラップ部８に貫通孔が形成された場合の例を示しているが、例えば、図示は省略するが、後身頃のサイドフラップ部に貫通孔が形成され、前身頃のサイドフラップ部に凸部が形成されていてもよい。
【００４２】
なお、本発明のテープ型使い捨ておむつにおける凹凸嵌合部は、例えば、着用者が通常行う程度の動作によって身体表面に沿った方向に生じる力では、一旦嵌合した凹部と凸部とが容易に外れることがない程度の嵌合部位の深さを有するものであることが好ましい。
【００４３】
具体的には、凹凸嵌合部の嵌合部位の深さは、０．５〜３ｍｍであることが好ましく、１〜３ｍｍであることが更に好ましく、１．５〜３ｍｍであることが特に好ましい。
【００４４】
例えば、嵌合部位の深さが０．５ｍｍ未満では、一旦嵌合した凹部と凸部とが、おむつ着用時に外れてしまうことがある。一方、嵌合部位の深さが３ｍｍを超えると、後身頃のサイドフラップ部を前身頃のサイドフラップ部の表面に覆い被せる際に、凹部と凸部とが嵌合し難くなり、おむつの着用に手間が掛かることがある。
【００４５】
図１Ａに示すように、凹凸嵌合部３８が縦縞や横縞状の複数の凹溝によって構成される場合には、凹溝（即ち、凹部）の幅と、凹溝が形成されていない相対的な凸部の幅とが、それぞれ０．５〜１５ｍｍであることが好ましく、１〜１２ｍｍであることが更に好ましく、３〜１０ｍｍであることが特に好ましい。
【００４６】
凹溝における凹部の幅と凸部の幅とが大きすぎると、各着用者における止着テープの適正な止着位置と、凹部と凸部とが嵌合する位置とが合わず、ウエスト周り開口部に隙間ができたり、重なり合ったサイドフラップ部が浮き上がったりしてしまうことがある。一方、凹部の幅と凸部の幅とが小さすぎると、凹部と凸部とが嵌合し難くなり、おむつの着用に手間が掛かることがある。
【００４７】
なお、上記したように、凹凸嵌合部が複数の凹溝によって構成される場合には、凹部の幅と凸部の幅とが同一に構成されていなくとも、凹部の幅が、少なくとも凸部の幅よりも大きければ、前身頃のサイドフラップ部と後身頃のサイドフラップ部とを重ね合わせることによって、それらに形成された凹凸嵌合部を相互に嵌合させることができる。
【００４８】
また、図３Ａ及び図３Ｂに示すように、凹凸嵌合部３８が、断面が波状の凹凸から構成される場合には、波状の凹凸の隣接する波頂ｔ１と波頂ｔ２の間の距離Ｌが１〜１５ｍｍであることが好ましく、２〜１２ｍｍであることが更に好ましく、３〜１０ｍｍであることが特に好ましい。
【００４９】
上記した波頂ｔ１と波頂ｔ２の間の距離Ｌが大きすぎると、各着用者における止着テープの適正な止着位置と、凹部と凸部とが嵌合する位置とが合わず、ウエスト周り開口部に隙間ができたり、重なり合ったサイドフラップ部が浮き上がったりしてしまうことがある。一方、波頂ｔ１と波頂ｔ２の間の距離Ｌが小さすぎると、凹部と凸部とが嵌合し難くなり、おむつの着用に手間が掛かることがある。
【００５０】
更に、図４Ａ及び図４Ｂに示すように、凹凸嵌合部３８が、凸部と貫通孔とによって構成される場合には、例えば、１ｃｍ２当りに、凸部又は貫通孔が１〜２５個形成されたものであることが好ましく、１ｃｍ２当り１〜２０個形成されたものであることが更に好ましく、１ｃｍ２当り１〜１０個形成されたものであることが特に好ましい。
【００５１】
上記した凸部と貫通孔の単位面積当たりの個数が少なすぎると、各着用者における止着テープの適正な止着位置と、凸部と貫通孔とが嵌合する位置とが合わず、ウエスト周り開口部に隙間ができたり、重なり合ったサイドフラップ部が浮き上がったりしてしまうことがある。一方、凸部と貫通孔の単位面積当たりの個数が多すぎると、凸部が貫通孔に嵌合し難くなり、おむつの着用に手間が掛かることがある。
【００５２】
縦縞や横縞状の複数の凹溝によって構成された凹凸嵌合部や、断面が波状の凹凸から構成された凹凸嵌合部は、例えば、サイドフラップ部が一対のエンボスロールの間に挟み込まれ、押圧されることによって形成されたものであることが好ましい。このように構成することによって、サイドフラップ部が形状安定性に優れたものとなり、ウエスト周り開口部や脚周り開口部からの漏れをより効果的に防止することができる。
【００５３】
また、このような加工法であれば、テープ型使い捨ておむつの製造工程中に容易に組み込むことができる。即ち、バックシート、吸収体、及びトップシートを積層した後に、サイドフラップ部に相当する部位のみを押圧加工することによって、所望の凹凸形状を有する凹凸嵌合部を形成することができる。
【００５４】
なお、図示は省略するは、本発明のテープ型使い捨ておむつは、凹凸状の別体のシートを別途作製し、従来公知の方法で製造されたテープ型使い捨ておむつにおける、前身頃の左右の各側縁部と後身頃の左右の各側縁部とのサイドフラップ部に凹凸状のシートを貼り合わせて製造することもできる。上記した方法によれば、おむつの着用時において互いに重なり合うそれぞれの当接面に、凹凸状の別体のシートからなる凹凸嵌合部を簡便に形成することができる。
【００５５】
また、本発明のテープ型使い捨ておむつにおいては、凹凸嵌合部が、おむつの長手方向に対して垂直に形成される場合、凹凸は複数形成されていることが好ましい。凹凸は、３〜２０個形成されたものであることが好ましく、３〜１５個形成されたものであることが更に好ましく、３〜１０個形成されたものであることが特に好ましい。３個未満では、テープ位置を変えて止める時に細かく対応できない場合があり、２０個を超えると、凹凸の間隔が狭くなりすぎて嵌合し難くなるおそれがある。
【００５６】
［３］テープ型使い捨ておむつの構成部材：
本発明のテープ型使い捨ておむつは、図１Ａ〜図１Ｃに示すテープ型使い捨ておむつ１Ａのように、吸収体２２と、少なくとも一部が液透過性材料からなり、吸収体２２の上面を被覆するように配置されたトップシート１８と、液不透過性材料からなり、吸収体２２の下面を被覆するように配置されたバックシート２０と、後身頃６の左右の各側縁６ａ，６ｂから延出するように配置され、前身頃２と後身頃６とを固定するための止着テープ１１と、を備えるものである。
【００５７】
［３−１］吸収体：
「吸収体」は、着用者の尿等を吸収し、保持するための部材であり、吸収性材料によって構成される。
【００５８】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００５９】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。
【００６０】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。通常、吸収体はトップシートとバックシートの間に挟み込まれ、両シートと一体化された状態で用いられる。
【００６１】
［３−２］トップシート：
トップシートは、着用者の尿等を透過させる必要から、その少なくとも一部（全部又は一部）が液透過性材料により構成される。
【００６２】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６３】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００６４】
トップシートは、「少なくとも一部」、具体的には、トップシートを平面的に見た場合に、少なくとも吸収体の表面及びその近傍は液透過性材料により構成されていることが好ましい。
【００６５】
なお、本発明のテープ型使い捨ておむつにおいては、着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。即ち、サイドフラップ部を構成するシートと、吸収体の表面近傍を被覆するシートとを別のシートから構成し、これらシートが継ぎ合わされたものであってもよいし、トップシート全体が一枚のシートによって構成されていてもよい。
【００６６】
例えば、図１Ａに示すテープ型使い捨ておむつ１Ａは、おむつの幅方向中央部には液透過性材料からなるシート（センターシート１８ａ）を配置し、おむつのサイドフラップ部８には液の透過に対して抵抗性を示す通気撥水性材料からなるシート（サイドシート１９）を配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００６７】
［３−３］バックシート：
バックシートは、吸収体の下面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００６８】
バックシートの配置位置については特に制限はない。吸収体で吸収された尿の漏れを防止するという観点から、少なくとも吸収体の存在する部分にバックシートが配置されていることが好ましい。
【００６９】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７０】
なお、バックシートには、その外表面側にカバーシートを貼り合わせてもよい。このカバーシートは、バックシートを補強し、バックシートの手触り（触感）を良好なものとするために用いられる。
【００７１】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７２】
［３−４］止着テープ：
本発明の使い捨ておむつは、図１Ａに示すように、後身頃６の左右の各側縁６ａ，６ｂから延出するように配置された、前身頃２と後身頃６とを固定するための止着テープ１１を備えている。
【００７３】
止着テープのファスニング部材としては、粘着剤により固定を行う粘着ファスナーであってもよいが、機械的な結合により固定を行うメカニカルファスナー（面状ファスナー）を用いることが好ましい。メカニカルファスナーは、止着力が高いことに加え、複数回の脱着を行っても止着力が低下することがないという利点がある。
【００７４】
例えば、図１Ａに示す使い捨ておむつ１Ａは、ファスニング部材として、メカニカルファスナー４６を用いた例である。止着テープ１１の先端近傍には、フック材４６ａが付設される一方、前身頃２には、ループ材４６ｂからなるフロントパッチ１３が付設されており、フロントパッチ１３に対して、止着テープ１１を止め付けることが可能なように構成されている。
【００７５】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【００７６】
［３−５］立体ギャザー：
本発明の使い捨ておむつは、着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【００７７】
立体ギャザーの構成は、従来の使い捨ておむつ、その他の吸収性物品に使用される構成を採用することができる。例えば、図１Ａに示す使い捨ておむつ１Ａのように、撥水性シート３２（３２ａ，３２ｂ）の層間に伸縮材（立体ギャザー伸縮材３６（３６ａ，３６ｂ）を挟み込んで固定し、その立体ギャザー伸縮材３６の収縮力によってギャザー（襞）を形成したもの等を好適に用いることができる。これらの例では、撥水性シート３２の折り返し部分に立体ギャザー伸縮材３６を挟み込んで固定した例である。
【００７８】
なお、立体ギャザーは、前記のように立体ギャザー用の撥水性シートを別途付設してもよいし、おむつを構成するシート材の一部によって形成してもよい。例えば、図１Ａに示す使い捨ておむつ１Ａは、サイドシート１９を構成する撥水性シート３２の一部によって立体ギャザー２６ａ，２６ｂを形成した例である。撥水性シートは、カードエンボス、スパンボンド等の製法により製造された不織布であってもよいが、防水性の高いＳＭＳ、ＳＭＭＳ等の不織布シートが更に好ましい。
【００７９】
［３−６］各種伸縮材：
本発明のテープ型使い捨ておむつは、脚周り伸縮材を配置し、ウエスト周り伸縮材を配置することが好ましい。
【００８０】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００８１】
この脚周り伸縮材は、天然ゴムからなる平ゴムや合成ゴム（ウレタンゴム等）の弾性糸からなる糸ゴム等によって構成される。そして、脚周り伸縮材は、立体ギャザーの起立線より外側の部分に配置されていることが好ましい。このような構成とすると、立体ギャザーの十分な防漏効果を確保しつつ、股下部の装用感・装着感を向上させることができる。図１Ａに示す使い捨ておむつ１Ａは、立体ギャザー２６の起立線より外側の部分に、脚周り伸縮材４０をそれぞれ２本ずつ配置した例を示している。
【００８２】
ウエスト周り伸縮材は、ウエスト周り開口部に沿って配置される伸縮材である。ウエスト周り伸縮材を配置することによって、ウエスト周り開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８３】
図１Ａに示す使い捨ておむつ１Ａは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００８４】
これらの伸縮材については、ギャザーの収縮の程度等を勘案した上で、構成材料、その材料の伸長率、固定時の伸長状態等を決定すればよい。
【００８５】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００８６】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００８７】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【実施例】
【００８８】
本発明のテープ型使い捨ておむつについて、図面を参照しながら更に具体的に説明する。但し、本発明のテープ型使い捨ておむつは、その発明特定事項を備えたテープ型使い捨ておむつを全て包含するものであり、以下の実施例に限定されるものではない。
【００８９】
〔実施例１〕
実施例１のテープ型使い捨ておむつとして、図１Ａ〜図１Ｄに示すようなテープ型使い捨ておむつを製造した。このテープ型使い捨ておむつ１Ａは、乳児用Ｌサイズのものであり、前後方向長さを５００ｍｍ、後身頃６の幅（側縁６ａ，６ｂ間の長さ）を３４０ｍｍとした。
【００９０】
本実施例においては、前身頃のサイドフラップ部と後身頃のサイドフラップ部との、おむつの着用時において互いに重なり合うそれぞれの当接面に、相互に嵌合する凹凸嵌合部を形成した。なお、前身頃のサイドフラップ部は、前身頃の各側縁から８ｃｍまでの範囲とし、後身頃のサイドフラップ部は、後身頃の側縁から８ｃｍまでの範囲とした。
【００９１】
凹凸嵌合部は、おむつの長手方向に対して平行に形成された複数の凹溝によって構成し、各凹溝の幅（即ち、凹部の幅及び凸部の幅）は、８ｍｍの等間隔とした。また、この凹溝によって構成された凹凸嵌合部の嵌合部位の深さ（即ち、凹溝の深さ）は３ｍｍとした。
【００９２】
〔実施例２〕
実施例２のテープ型使い捨ておむつとして、図２Ａ、及び図２Ｂに示すようなテープ型使い捨ておむつを製造した。このテープ型使い捨ておむつ１Ｂは、乳児用Ｌサイズのものであり、前後方向長さを５００ｍｍ、後身頃６の幅（側縁６ａ，６ｂ間の長さ）を３４０ｍｍとした。
【００９３】
本実施例においては、前身頃のサイドフラップ部と後身頃のサイドフラップ部との、おむつの着用時において互いに重なり合うそれぞれの当接面に、相互に嵌合する凹凸嵌合部を形成した。なお、前身頃のサイドフラップ部は、前身頃の各側縁から５ｃｍまでの範囲とし、後身頃のサイドフラップ部は、後身頃の側縁から５ｃｍまでの範囲とした。
【００９４】
凹凸嵌合部は、おむつの長手方向に対して垂直に形成された複数の凹溝によって構成し、各凹溝の幅（即ち、凹部の幅及び凸部の幅）は、１０ｍｍの等間隔とした。また、この凹溝によって構成された凹凸嵌合部の嵌合部位の深さ（即ち、凹溝の深さ）は２．５ｍｍとした。
【００９５】
〔実施例３〕
実施例３のテープ型使い捨ておむつとして、図３Ａに示すようなテープ型使い捨ておむつを製造した。このテープ型使い捨ておむつ１Ｃは、乳児用Ｌサイズのものであり、前後方向長さを５００ｍｍ、後身頃６の幅（側縁６ａ，６ｂ間の長さ）を３４０ｍｍとした。
【００９６】
本実施例においては、前身頃のサイドフラップ部と後身頃のサイドフラップ部との、おむつの着用時において互いに重なり合うそれぞれの当接面に、相互に嵌合する凹凸嵌合部を形成した。なお、前身頃のサイドフラップ部は、前身頃の各側縁から７ｃｍまでの範囲とし、後身頃のサイドフラップ部は、後身頃の側縁から７ｃｍまでの範囲とした。
【００９７】
凹凸嵌合部は、おむつの長手方向に対して平行に形成された複数の凹溝によって構成し、各凹溝の幅（即ち、凹部の幅及び凸部の幅）は、５ｍｍの等間隔とした。また、この凹溝によって構成された凹凸嵌合部の嵌合部位の深さ（即ち、凹溝の深さ）は３ｍｍとした。
【００９８】
〔実施例４〕
実施例３のテープ型使い捨ておむつとして、図４Ａに示すようなテープ型使い捨ておむつを製造した。このテープ型使い捨ておむつ１Ｄは、乳児用Ｌサイズのものであり、前後方向長さを５００ｍｍ、後身頃６の幅（側縁６ａ，６ｂ間の長さ）を３４０ｍｍとした。
【００９９】
本実施例においては、前身頃のサイドフラップ部と後身頃のサイドフラップ部との、おむつの着用時において互いに重なり合うそれぞれの当接面に、相互に嵌合する凸部と貫通孔を形成した。なお、前身頃のサイドフラップ部は、前身頃の各側縁から８ｃｍまでの範囲とし、後身頃のサイドフラップ部は、後身頃の側縁から８ｃｍまでの範囲とした。
【０１００】
凸部は、おむつの長手方向に対して平行に形成し、各凸溝の幅は、５ｍｍとした。また、貫通孔は１ｃｍ２当たり５個とした。
【０１０１】
この本実施例のテープ型使い捨ておむつを乳児用に着用して用いたところ、前身頃のサイドフラップ部に形成された凹凸嵌合部と、後身頃側のサイドフラップ部に形成された凹凸嵌合部とが互いに嵌合し、重なり合ったサイドフラップ部のずれ及び拠れの発生を防ぐことができ、ウエスト周り開口部や脚周り開口部からの漏れを有効に防止することができた。
【産業上の利用可能性】
【０１０２】
本発明のテープ型使い捨ておむつは、乳幼児用の使い捨ておむつ、又は介護を必要とする高齢者や障害者等の成人用の使い捨ておむつとして利用することができる。特に、着用者が自由に行動することが可能な幼児用の使い捨ておむつとして好適に利用することができる。
【図面の簡単な説明】
【０１０３】
【図１Ａ】本発明のテープ型使い捨ておむつの一の実施形態を展開し、トップシート側から見た状態を示す概略平面図である。
【図１Ｂ】図１Ａに示すテープ型使い捨ておむつを着用する過程を示す斜視図である。
【図１Ｃ】図１Ａに示すテープ型使い捨ておむつを着用する過程を示す斜視図である。
【図１Ｄ】図１Ａに示すテープ型使い捨ておむつのサイドフラップ部の凹凸嵌合部を拡大した拡大平面図である。
【図１Ｅ】図１Ａに示すテープ型使い捨ておむつの着用時において、前身頃のサイドフラップ部と後身頃のサイドフラップ部の凹凸嵌合部が相互に嵌合した状態を示す断面図である。
【図２Ａ】本発明のテープ型使い捨ておむつの他の実施形態を展開し、トップシート側から見た状態を示す概略平面図である。
【図２Ｂ】図２Ａに示すテープ型使い捨ておむつのサイドフラップ部の凹凸嵌合部を拡大した拡大平面図である。
【図２Ｃ】図２Ａに示すテープ型使い捨ておむつの着用時において、前身頃のサイドフラップ部と後身頃のサイドフラップ部の凹凸嵌合部が相互に嵌合した状態を示す断面図である。
【図３Ａ】本発明のテープ型使い捨ておむつの更に他の実施形態におけるサイドフラップ部の凹凸嵌合部を拡大した拡大平面図である。
【図３Ｂ】図３Ａに示すテープ型使い捨ておむつの着用時において、前身頃のサイドフラップ部と後身頃のサイドフラップ部の凹凸嵌合部が相互に嵌合した状態を示す断面図である。
【図４Ａ】本発明のテープ型使い捨ておむつの更に他の実施形態におけるサイドフラップ部の凹凸嵌合部を拡大した拡大平面図である。
【図４Ｂ】図４Ａに示すテープ型使い捨ておむつの着用時において、前身頃のサイドフラップ部と後身頃のサイドフラップ部の凹凸嵌合部が相互に嵌合した状態を示す断面図である。
【図５】従来のテープ型使い捨ておむつを展開し、トップシート側から見た状態を示す概略平面図である。
【符号の説明】
【０１０４】
１Ａ，１Ｂ，１Ｃ，１Ｄ，１００：テープ型使い捨ておむつ、２：前身頃、２ｘ，２ｙ：側縁部、４：股下部、６：後身頃、６ａ，６ｂ：側縁、６ｘ，６ｙ：側縁部、８：サイドフラップ部、１０：ウエスト周り開口部、１１：止着テープ、１２：脚周り開口部、１３：フロントパッチ、１８：トップシート、１８ａ：センターシート、１９：サイドシート、２０：バックシート、２２：吸収体、２６，２６ａ，２６ｂ：立体ギャザー、３２：撥水性シート、３６，３６ａ，３６ｂ：立体ギャザー伸縮材、３８：凹凸嵌合部、３８ａ：第一嵌合部、３８ｂ：第二嵌合部、４０：脚周り伸縮材、４２：ウエスト周り伸縮材、４６：メカニカルファスナー、４６ａ：フック材、４６ｂ：ループ材。
【図１Ａ】
2010082373.tif 000003
【図１Ｂ】
2010082373.tif 000004
【図１Ｃ】
2010082373.tif 000005
【図１Ｄ】
2010082373.tif 000006
【図１Ｅ】
2010082373.tif 000007
【図２Ａ】
2010082373.tif 000008
【図２Ｂ】
2010082373.tif 000009
【図２Ｃ】
2010082373.tif 000010
【図３Ａ】
2010082373.tif 000011
【図３Ｂ】
2010082373.tif 000012
【図４Ａ】
2010082373.tif 000013
【図４Ｂ】
2010082373.tif 000014
【図５】
2010082373.tif 000015